(57)【特許請求の範囲】
【請求項１】
給水路からの水を給湯用熱交換器にて加熱して給湯路に供給する給湯回路と、暖房端末からの熱媒を暖房加熱部にて加熱して前記暖房端末に供給する暖房回路を備え、前記暖房加熱部として、バーナ加熱式熱交換器とヒートポンプ加熱式熱交換器とが設けられ、前記暖房回路が、膨張タンク及び暖房用熱媒循環ポンプを備えて、前記バーナ加熱式熱交換器にて熱媒を加熱するバーナ加熱状態と前記ヒートポンプ加熱式熱交換器にて熱媒を加熱するヒートポンプ加熱状態とに切換自在に構成され、前記バーナ加熱式熱交換器にて加熱された熱媒を前記給湯用熱交換器に供給して給水路からの水を加熱可能に構成されている熱媒供給装置であって、
前記暖房端末からの熱媒の全量又はその一部を前記ヒートポンプ加熱式熱交換器に供給して暖房端末へ循環させるヒートポンプ用熱媒循環路が、前記バーナ加熱式熱交換器、給湯用熱交換器、膨張タンク、及び、暖房用熱媒循環ポンプをバイパスする状態で設けられ、そのヒートポンプ用熱媒循環路にヒートポンプ用熱媒循環ポンプが設けられ、
前記暖房端末からの熱媒を前記バーナ加熱式熱交換器に供給して暖房端末へ循環させるバーナ用熱媒循環路が、前記膨張タンク及び暖房用熱媒循環ポンプを備えて設けられ、前記ヒートポンプ加熱式熱交換器により加熱された熱媒を前記バーナ用熱媒循環路の一部を介して前記膨張タンク及び暖房用熱媒循環ポンプに供給する蓄熱運転が可能な熱媒供給装置。
【請求項２】
給水路からの水を給湯用熱交換器にて加熱して給湯路に供給する給湯回路と、暖房端末からの熱媒を暖房加熱部にて加熱して前記暖房端末に供給する暖房回路を備え、前記暖房加熱部として、バーナ加熱式熱交換器とヒートポンプ加熱式熱交換器とが設けられ、前記暖房回路が、膨張タンク及び暖房用熱媒循環ポンプを備えて、前記バーナ加熱式熱交換器にて熱媒を加熱するバーナ加熱状態と前記ヒートポンプ加熱式熱交換器にて熱媒を加熱するヒートポンプ加熱状態とに切換自在に構成され、前記バーナ加熱式熱交換器にて加熱された熱媒を前記給湯用熱交換器に供給して給水路からの水を加熱可能に構成されている熱媒供給装置であって、
前記暖房端末からの熱媒の全量又はその一部を前記ヒートポンプ加熱式熱交換器に供給して暖房端末へ循環させるヒートポンプ用熱媒循環路が、前記バーナ加熱式熱交換器、給湯用熱交換器、膨張タンク、及び、暖房用熱媒循環ポンプをバイパスする状態で設けられ、そのヒートポンプ用熱媒循環路にヒートポンプ用熱媒循環ポンプが設けられ、
前記ヒートポンプ加熱式熱交換器が、前記暖房端末からの熱媒を前記バーナ加熱式熱交換器へ戻す熱媒戻り路と、そのバーナ加熱式熱交換器にて加熱された熱媒を前記暖房端末に供給する熱媒往き路との間にわたって設けられている熱媒供給装置。
【請求項３】
前記ヒートポンプ加熱式熱交換器が、前記暖房端末からの熱媒を前記バーナ加熱式熱交換器へ戻す熱媒戻り路と、そのバーナ加熱式熱交換器にて加熱された熱媒を前記暖房端末に供給する熱媒往き路との間にわたって設けられている請求項１に記載の熱媒供給装置。
【請求項４】
前記ヒートポンプ加熱式熱交換器及びヒートポンプ用熱媒循環ポンプ等を備えたヒートポンプ装置が、前記給湯用熱交換器、バーナ加熱式熱交換器、膨張タンク、及び、暖房用熱媒循環ポンプ等を備えた給湯装置と別体に構成されている請求項１〜３のいずれか１項に記載の熱媒供給装置。
【発明の詳細な説明】
【技術分野】
【０００１】
本発明は、給水路からの水を給湯用熱交換器にて加熱して給湯路に供給する給湯回路と、暖房端末からの熱媒を暖房加熱部にて加熱して前記暖房端末に供給する暖房回路を備え、前記暖房加熱部として、バーナ加熱式熱交換器とヒートポンプ加熱式熱交換器とが設けられ、前記暖房回路が、膨張タンク及び暖房用熱媒循環ポンプを備えて、前記バーナ加熱式熱交換器にて熱媒を加熱するバーナ加熱状態と前記ヒートポンプ加熱式熱交換器にて熱媒を加熱するヒートポンプ加熱状態とに切換自在に構成され、前記バーナ加熱式熱交換器にて加熱された熱媒を前記給湯用熱交換器に供給して給水路からの水を加熱可能に構成されている熱媒供給装置に関する。
【背景技術】
【０００２】
上述のように、暖房端末からの熱媒を加熱する暖房加熱部として、バーナ加熱式熱交換器とヒートポンプ加熱式熱交換器とが設けられた熱媒供給装置では、暖房負荷等の各種条件に基づいてヒートポンプ装置のＣＯＰ（成績係数）を算定し、ＣＯＰが高くなる領域では、ヒートポンプ加熱式熱交換器にて熱媒を加熱するヒートポンプ加熱状態に切り換え、ＣＯＰが低くなる領域では、バーナ加熱式熱交換器にて熱媒を加熱するバーナ加熱状態に切り換えて運転することが可能となり、省エネ性の向上を図ることができる。
このようなバーナ加熱式熱交換器とヒートポンプ加熱式熱交換器を備えた熱媒供給装置はすでに公知であるが、その従来公知の熱媒供給装置では、バーナ加熱式熱交換器にて加熱された熱媒により給水路からの水を加熱可能な給湯用熱交換器が設けられていない（例えば、特許文献１参照）。
また、バーナ加熱式熱交換器にて加熱された熱媒により給水路からの水を加熱可能な給湯用熱交換器は備えているものの、暖房加熱部として、ヒートポンプ加熱式熱交換器を備えずに、バーナ加熱式熱交換器のみ備えた熱媒供給装置も知られている（例えば、特許文献２参照）。
【先行技術文献】
【特許文献】
【０００３】
【特許文献１】特開２０１１−４３３２１号公報
【特許文献２】特開２００７−３１５７００号公報
【発明の概要】
【発明が解決しようとする課題】
【０００４】
上記特許文献１に記載の装置は、図９（特許文献１の図２をそのまま記載したもの）に示すような構成であり、ヒートポンプ装置１６のヒートポンプ加熱式熱交換器１７にて熱媒を加熱するヒートポンプ加熱状態では、図中太線にて示すように、低温暖房端末８ｂからの熱媒が、熱媒戻り路３１から第１熱媒バイパス路３９を通して第１熱媒路３２に流入する。そして、その第１熱媒路３２を通流する熱媒に対して、ヒートポンプ加熱式熱交換器１７にて加熱された後の熱媒が、第２熱媒路３５を通して合流し、合流した後の熱媒が、膨張タンク３３、熱媒循環ポンプ３４を通過したのち、その一部が第２熱媒バイパス路４１を通流してヒートポンプ加熱式熱交換器１７に供給される。
このように、低温暖房端末８ｂからの熱媒に対して、ヒートポンプ加熱式熱交換器１７で加熱された熱媒が合流し、その合流により温度が上昇した熱媒がヒートポンプ加熱式熱交換器１７に供給されるので、ヒートポンプ加熱式熱交換器１７での熱回収（熱媒への熱供給）が低下し、ヒートポンプ装置を効率よく運転しているとは言い難い欠点があった。
【０００５】
このような欠点を解消するためには、低温暖房端末８ｂからの熱媒の全量又はその一部をヒートポンプ加熱式熱交換器１７へ直接供給するように構成することが考えられる。かかる技術的思想を反映させた上で、上記特許文献２に記載の装置、つまり、バーナ加熱式熱交換器にて加熱された熱媒を給湯用熱交換器に供給して給水路からの水を加熱可能に構成した装置に対して、暖房加熱部としてのヒートポンプ加熱式熱交換器を追加して組み込む場合、図８に示すような構成が考えられる（なお、図８に示す装置では、理解を容易にするため、図９に示す従来公知の装置及び後述する本願発明に係る装置と共通する構成部品及び同じ作用を有する構成部品については同じ符号を付してある）。
【０００６】
この図８の装置を参照して説明すると、ヒートポンプ装置１６のヒートポンプ加熱式熱交換器１７にて熱媒を加熱するヒートポンプ加熱状態では、図中太線にて示すように、低温暖房端末８ｂからの熱媒が、低温熱媒戻り路３１ｂとヒートポンプ用熱媒路６１を通してヒートポンプ加熱式熱交換器１７へ直接供給されるので、ヒートポンプ加熱式熱交換器１７での熱回収の低下が回避されてヒートポンプ装置を効率よく運転することができる。
そして、ヒートポンプ加熱式熱交換器１７にて加熱された熱媒は、その後、熱媒戻り路３１を通流して膨張タンク３３及び熱媒循環ポンプ３４を通過したのち、バーナ潜熱加熱式熱交換器１５ａを通流し、一部の熱媒は低温往き路３６を通して低温暖房端末８ｂに供給される。ところが、残りの熱媒はバーナ顕熱加熱式熱交換器１５ｂを通流し、第２熱媒路３５と循環用バイパス路７０を通して給湯用熱交換器７１に供給されるので、このヒートポンプ加熱状態の実行中に給湯運転が要求されると、バーナ１３の燃焼によってバーナ潜熱加熱式熱交換器１５ａ及びバーナ顕熱加熱式熱交換器１５ｂを通流する熱媒が加熱される。その結果、必要以上に加熱された高温の熱媒が、膨張タンク３３及び熱媒循環ポンプ３４を通過したのち、バーナ潜熱加熱式熱交換器１５ａを通流し、低温暖房端末８ｂを通してヒートポンプ加熱式熱交換器１７に供給され、結局、ヒートポンプ加熱式熱交換器１７での熱回収が低下することになる。
【０００７】
本発明は、このような問題点に着目したもので、その目的は、バーナ加熱式熱交換器にて加熱された熱媒を給湯用熱交換器に供給して給水路からの水を加熱可能に構成された熱媒供給装置で、ヒートポンプ加熱式熱交換器にて熱媒を加熱するヒートポンプ加熱状態において、ヒートポンプ装置を効率よく運転することを可能にして、より一層の省エネ性向上を図り得る熱媒供給装置を提供することにある。
【課題を解決するための手段】
【０００８】
この目的を達成するため、本発明に係る熱媒供給装置の特徴構成は、給水路からの水を給湯用熱交換器にて加熱して給湯路に供給する給湯回路と、暖房端末からの熱媒を暖房加熱部にて加熱して前記暖房端末に供給する暖房回路を備え、前記暖房加熱部として、バーナ加熱式熱交換器とヒートポンプ加熱式熱交換器とが設けられ、前記暖房回路が、膨張タンク及び暖房用熱媒循環ポンプを備えて、前記バーナ加熱式熱交換器にて熱媒を加熱するバーナ加熱状態と前記ヒートポンプ加熱式熱交換器にて熱媒を加熱するヒートポンプ加熱状態とに切換自在に構成され、前記バーナ加熱式熱交換器にて加熱された熱媒を前記給湯用熱交換器に供給して給水路からの水を加熱可能に構成されている熱媒供給装置であって、前記暖房端末からの熱媒の全量又はその一部を前記ヒートポンプ加熱式熱交換器に供給して暖房端末へ循環させるヒートポンプ用熱媒循環路が、前記バーナ加熱式熱交換器、給湯用熱交換器、膨張タンク、及び、暖房用熱媒循環ポンプをバイパスする状態で設けられ、そのヒートポンプ用熱媒循環路にヒートポンプ用熱媒循環ポンプが設けられ、前記暖房端末からの熱媒を前記バーナ加熱式熱交換器に供給して暖房端末へ循環させるバーナ用熱媒循環路が、前記膨張タンク及び暖房用熱媒循環ポンプを備えて設けられ、前記ヒートポンプ加熱式熱交換器により加熱された熱媒を前記バーナ用熱媒循環路の一部を介して前記膨張タンク及び暖房用熱媒循環ポンプに供給する蓄熱運転が可能な点にある。
【０００９】
上記特徴構成によれば、暖房端末からの熱媒の全量又はその一部をヒートポンプ加熱式熱交換器に供給して暖房端末へ循環させるヒートポンプ用熱媒循環路が設けられ、そのヒートポンプ用熱媒循環路にヒートポンプ用熱媒循環ポンプが設けられているので、ヒートポンプ加熱式熱交換器にて熱媒を加熱するヒートポンプ加熱状態において、ヒートポンプ用熱媒循環ポンプを作動させることによって、暖房端末からの熱媒をそのままヒートポンプ加熱式熱交換器へ直接供給することができ、また、ヒートポンプ加熱式熱交換器にて加熱された熱媒を暖房端末へ直接供給することができる。したがって、ヒートポンプ装置を効率よく運転することができ、その結果、暖房端末に熱媒を供給する暖房時において、ヒートポンプ加熱状態とバーナ加熱状態との切り換え運転により省エネ性の向上を図り得るのに加えて、ヒートポンプ加熱状態において一層の効率化を図ることが可能となる。
そして、そのヒートポンプ用熱媒循環路が、バーナ加熱式熱交換器、給湯用熱交換器、膨張タンク、及び、暖房用熱媒循環ポンプをバイパスする状態で設けられているので、たとえヒートポンプ加熱状態の実行中に給湯運転が要求されてバーナが燃焼しても、ヒートポンプ加熱式熱交換器により加熱された熱媒がそのバーナの燃焼により加熱されることはない。
その結果、バーナ加熱式熱交換器にて加熱された熱媒を給湯用熱交換器に供給して給水路からの水を加熱可能に構成されている熱媒供給装置であっても、ヒートポンプ加熱式熱交換器にて熱媒を加熱するヒートポンプ加熱状態において、ヒートポンプ装置を効率よく運転して省エネ性向上を図ることができる。
更に、上記特徴構成によれば、暖房端末からの熱媒をバーナ加熱式熱交換器に供給して暖房端末へ循環させるバーナ用熱媒循環路が、膨張タンク及び暖房用熱媒循環ポンプを備えて設けられているので、バーナ加熱式熱交換器にて熱媒を加熱するバーナ加熱状態においては、暖房用熱媒循環ポンプの作動によってバーナ加熱状態を確実に実行することができる。
そして、ヒートポンプ加熱式熱交換器により加熱された熱媒をバーナ用熱媒循環路の一部を介して膨張タンク及び暖房用熱媒循環ポンプに供給する蓄熱運転が可能に構成されているので、バーナ用熱媒循環路に備えられた膨張タンク及び暖房用熱媒循環ポンプを有効に利用して、ヒートポンプ加熱式熱交換器による蓄熱運転を行うことができる。
また、上記目的を達成するため、本発明に係る熱媒供給装置の特徴構成は、給水路からの水を給湯用熱交換器にて加熱して給湯路に供給する給湯回路と、暖房端末からの熱媒を暖房加熱部にて加熱して前記暖房端末に供給する暖房回路を備え、前記暖房加熱部として、バーナ加熱式熱交換器とヒートポンプ加熱式熱交換器とが設けられ、前記暖房回路が、膨張タンク及び暖房用熱媒循環ポンプを備えて、前記バーナ加熱式熱交換器にて熱媒を加熱するバーナ加熱状態と前記ヒートポンプ加熱式熱交換器にて熱媒を加熱するヒートポンプ加熱状態とに切換自在に構成され、前記バーナ加熱式熱交換器にて加熱された熱媒を前記給湯用熱交換器に供給して給水路からの水を加熱可能に構成されている熱媒供給装置であって、前記暖房端末からの熱媒の全量又はその一部を前記ヒートポンプ加熱式熱交換器に供給して暖房端末へ循環させるヒートポンプ用熱媒循環路が、前記バーナ加熱式熱交換器、給湯用熱交換器、膨張タンク、及び、暖房用熱媒循環ポンプをバイパスする状態で設けられ、そのヒートポンプ用熱媒循環路にヒートポンプ用熱媒循環ポンプが設けられ、
前記ヒートポンプ加熱式熱交換器が、前記暖房端末からの熱媒を前記バーナ加熱式熱交換器へ戻す熱媒戻り路と、そのバーナ加熱式熱交換器にて加熱された熱媒を前記暖房端末に供給する熱媒往き路との間にわたって設けられている点にある。
上記特徴構成によれば、暖房端末からの熱媒の全量又はその一部をヒートポンプ加熱式熱交換器に供給して暖房端末へ循環させるヒートポンプ用熱媒循環路が設けられ、そのヒートポンプ用熱媒循環路にヒートポンプ用熱媒循環ポンプが設けられているので、ヒートポンプ加熱式熱交換器にて熱媒を加熱するヒートポンプ加熱状態において、ヒートポンプ用熱媒循環ポンプを作動させることによって、暖房端末からの熱媒をそのままヒートポンプ加熱式熱交換器へ直接供給することができ、また、ヒートポンプ加熱式熱交換器にて加熱された熱媒を暖房端末へ直接供給することができる。したがって、ヒートポンプ装置を効率よく運転することができ、その結果、暖房端末に熱媒を供給する暖房時において、ヒートポンプ加熱状態とバーナ加熱状態との切り換え運転により省エネ性の向上を図り得るのに加えて、ヒートポンプ加熱状態において一層の効率化を図ることが可能となる。
そして、そのヒートポンプ用熱媒循環路が、バーナ加熱式熱交換器、給湯用熱交換器、膨張タンク、及び、暖房用熱媒循環ポンプをバイパスする状態で設けられているので、たとえヒートポンプ加熱状態の実行中に給湯運転が要求されてバーナが燃焼しても、ヒートポンプ加熱式熱交換器により加熱された熱媒がそのバーナの燃焼により加熱されることはない。
その結果、バーナ加熱式熱交換器にて加熱された熱媒を給湯用熱交換器に供給して給水路からの水を加熱可能に構成されている熱媒供給装置であっても、ヒートポンプ加熱式熱交換器にて熱媒を加熱するヒートポンプ加熱状態において、ヒートポンプ装置を効率よく運転して省エネ性向上を図ることができる。
さらに、上記特徴構成によれば、ヒートポンプ加熱式熱交換器が、暖房端末からの熱媒をバーナ加熱式熱交換器へ戻す熱媒戻り路と、そのバーナ加熱式熱交換器にて加熱された熱媒を暖房端末に供給する熱媒往き路との間にわたって設けられているので、熱媒戻り路と熱媒往き路を共用する状態で、バーナ加熱状態とヒートポンプ加熱状態とを確実に実行することができる。
【００１２】
本発明に係る熱媒供給装置の更なる特徴構成は、前記ヒートポンプ加熱式熱交換器が、前記暖房端末からの熱媒を前記バーナ加熱式熱交換器へ戻す熱媒戻り路と、そのバーナ加熱式熱交換器にて加熱された熱媒を前記暖房端末に供給する熱媒往き路との間にわたって設けられている点にある。
【００１３】
上記特徴構成によれば、ヒートポンプ加熱式熱交換器が、暖房端末からの熱媒をバーナ加熱式熱交換器へ戻す熱媒戻り路と、そのバーナ加熱式熱交換器にて加熱された熱媒を暖房端末に供給する熱媒往き路との間にわたって設けられているので、熱媒戻り路と熱媒往き路を共用する状態で、バーナ加熱状態とヒートポンプ加熱状態とを確実に実行することができる。
【００１４】
本発明に係る熱媒供給装置の更なる特徴構成は、前記ヒートポンプ加熱式熱交換器及びヒートポンプ用熱媒循環ポンプ等を備えたヒートポンプ装置が、前記給湯用熱交換器、バーナ加熱式熱交換器、膨張タンク、及び、暖房用熱媒循環ポンプ等を備えた給湯装置と別体に構成されている点にある。
【００１５】
上記特徴構成によれば、ヒートポンプ装置が給湯装置と別体に構成されているので、給湯装置にヒートポンプ装置を外付けすることが可能となり、例えば、既存の給湯装置に対しても、比較的簡単にヒートポンプ装置を組み付けることができる。
【図面の簡単な説明】
【００１６】
【図１】本発明による熱媒供給装置のバーナ加熱状態を示す概略構成図
【図２】本発明による熱媒供給装置のヒートポンプ加熱状態を示す概略構成図
【図３】本発明による熱媒供給装置の蓄熱運転状態を示す概略構成図
【図４】時間経過に伴う運転モードの変化を示す図
【図５】運転モード毎にバーナ加熱状態とヒートポンプ加熱状態とに切り換えた場合の１次エネルギー消費量と、その算定の基準を示す図表
【図６】本発明による熱媒供給装置の別実施形態を示す要部の概略構成図
【図７】本発明による熱媒供給装置の別実施形態のバーナ加熱状態を示す概略構成図
【図８】本発明の前段階における熱媒供給装置のヒートポンプ加熱状態を示す概略構成図
【図９】先行技術文献に記載された熱媒供給装置
【発明を実施するための形態】
【００１７】
本発明に係る熱媒供給装置の実施形態を図面に基づいて説明する。
この熱媒供給装置は、図１〜図３に示すように、給湯装置１とその給湯装置１と別体に構成されて外付けされたヒートポンプ装置１６とを備え、給湯装置１は、一般家庭用の水道管に接続された給水路２からの水を給湯用バーナ潜熱加熱式熱交換器３と給湯用熱交換器７１にて加熱してその加熱された湯水を給湯栓４等が接続された給湯路５に供給する給湯回路６と、暖房端末８からの熱媒を暖房加熱部７にて加熱してその加熱された熱媒を暖房端末８に供給する暖房回路９と、暖房加熱部７にて加熱された熱媒により浴槽１０の湯水をふろ熱交換器１１にて加熱してその加熱された湯水を浴槽１０に供給する追焚回路１２とを備えている。
暖房端末８として、高温の熱媒（例えば８０℃の熱媒）が要求される高温暖房端末８ａ（例えば浴室乾燥装置）とその高温暖房端末８ａよりも低温の熱媒（例えば４０〜７５℃の熱媒）が要求される低温暖房端末８ｂ（例えば床暖房パネル）とが備えられている。
【００１８】
給湯回路６における給湯用バーナ潜熱加熱式熱交換器３は、バーナ１３の燃焼による燃焼ガスの潜熱により給水路２からの水を加熱するように構成され、暖房回路９における暖房加熱部７として、給湯用バーナ潜熱加熱式熱交換器３と同じ単一のバーナ１３の燃焼により同時に熱媒を加熱するバーナ加熱式熱交換器１５と、ヒートポンプ装置１６の媒体により熱媒を加熱するヒートポンプ加熱式熱交換器１７とを備えている。そして、熱媒用のバーナ加熱式熱交換器１５は、バーナ１３の燃焼ガスの潜熱により熱媒を加熱するバーナ潜熱加熱式熱交換器１５ａと、バーナ１３の燃焼ガスの顕熱により熱媒を加熱するバーナ潜熱加熱式熱交換器１５ｂとから構成されて、いわゆる１缶３水形式に構成されている。
バーナ１３には、一般家庭用の燃料ガスを供給するガス供給路１８が接続され、そのガス供給路１８には、燃料ガスの供給を断続する断続弁１９と燃料ガス供給量を調整するガス比例弁２０が設けられている。また、バーナ１３には、燃焼用空気を供給する燃焼用ファンＦも設けられ、図示は省略するが、バーナ１３の近くには、バーナ１３に対する点火動作を実行する点火用のイグナイタ及び着火されたか否かを検出するフレームロッド等も設けられている。
【００１９】
給湯回路６を構成する給水路２には、給水量を検出する水量センサ２４と給水温度を検出する給水サーミスタ２５とが設けられ、その給水路２が、給湯バイパス路２６を介して給湯路５に接続され、その給湯バイパス路２６によって、給水路２の水を給湯用バーナ潜熱加熱式熱交換器３と給湯用熱交換器７１をバイパスして給湯路５に供給可能としている。
その給湯路５と給湯バイパス路２６との接続箇所には、給湯用バーナ潜熱加熱式熱交換器３に供給する水量と給湯バイパス路２６を通流させる水量との比率を調整自在なバイパス弁２７が設けられ、給湯路５には、上流側から順に、循環用バイパス路７０の熱媒にて給湯路５の湯水を加熱する給湯用熱交換器７１、その給湯用熱交換器７１の出口温度を検出する出口温サーミスタ２８、バイパス路２６から供給される水が混合した後の湯水の温度を検出する出湯サーミスタ３０が設けられている。
【００２０】
暖房回路９のバーナ加熱式熱交換器１５において、そのバーナ潜熱加熱式熱交換器１５ａの入口側には、暖房端末８からの熱媒を戻す熱媒戻り路３１が接続され、その暖房戻り路３１は、高温暖房端末８ａに接続の高温熱媒戻り路３１ａと低温暖房端末８ｂに接続の低温熱媒戻り路３１ｂとを備えている。そして、その熱媒戻り路３１には、熱媒を貯留する膨張タンク３３と、熱媒を循環させる暖房用熱媒循環ポンプ３４が設けられ、バーナ潜熱加熱式熱交換器１５ａの出口側には、加熱後の熱媒をバーナ顕熱加熱式熱交換器１５ｂに供給する第１熱媒路３２が接続されている。
バーナ顕熱加熱式熱交換器１５ｂの出口側には、第２熱媒路３５が接続され、その第２熱媒路３５には、加熱後の熱媒の温度を検出する熱媒サーミスタ３７が設けられ、その熱媒サーミスタ３７の下流側には、熱媒を高温暖房端末８ａに供給する高温往き路３８と、熱媒を給湯用熱交換器７１に供給する循環用バイパス路７０とが分岐接続されている。
【００２１】
すなわち、バーナ顕熱加熱式熱交換器１５ｂからの熱媒の一部が高温往き路３８を通して高温暖房端末８ａに供給され、残りの一部が循環用バイパス路７０を通して給湯用熱交換器７１から膨張タンク３３に供給されるように構成されている。そして、第１熱媒路３２には、熱媒を低温暖房端末８ｂに供給する熱媒往き路としての低温往き路３６が分岐接続されている。
循環用バイパス路７０の給湯用熱交換器７１より上流側には、熱媒バイパス路４３が接続されて、その接続箇所に熱媒分配弁７２が設けられ、熱媒バイパス路４３には、ふろ熱交換器１１が設けられ、バーナ顕熱加熱式熱交換器１５ｂからの熱媒が、ふろ熱交換器１１を通して膨張タンク３３に供給されるように構成されている。
【００２２】
ふろ熱交換器１１には、加熱後の湯水を浴槽１０に供給するふろ往き路４６と浴槽１０から湯水を吸引するふろ戻り路４７とが接続され、ふろ往き路４６とふろ戻り路４７とからふろ循環路４５が構成されている。
ふろ戻り路４７には、圧力を検出することにより浴槽１０内の水位を検出する水位センサ４８と、浴槽１０から湯水を吸引して循環させるふろ循環ポンプ４９と、水流スイッチ５０と、浴槽内の湯水の温度を検出するふろサーミスタ５１とが設けられている。そして、給湯路５から分岐してふろ戻り路４７に接続された湯張り路５２には、湯張り弁５３、空気層形成用ホッパ５４、及び、湯張り逆止弁５５が設けられ、空気層形成用ホッパ５４には、図示は省略するが、湯水を排水する排水路とその排水路を開閉する排水弁とが設けられている。
【００２３】
暖房端末８から熱媒を戻す熱媒戻り路３１において、高温熱媒戻り路３１ａと低温熱媒戻り路３１ｂが合流する手前の低温熱媒戻り路３１ｂには、ヒートポンプ用熱媒路６１が分岐接続され、そのヒートポンプ用熱媒路６１が低温往き路３６に接続されて、その接続箇所にヒートポンプ用熱媒切換弁７５が設けられている。そして、ヒートポンプ用熱媒路６１には、ヒートポンプ装置１６の媒体と熱媒とを熱交換させて媒体にて熱媒を加熱するヒートポンプ加熱式熱交換器１７が配置され、ヒートポンプ加熱式熱交換器１７の出口側には、熱媒の出口温度を検出する熱媒サーミスタ６３とヒートポンプ用熱媒循環ポンプ７６が設けられている。
すなわち、低温熱媒戻り路３１ｂ、ヒートポンプ用熱媒路６１、及び、低温往き路３６等によりヒートポンプ用熱媒循環路９ｂが形成され、そのヒートポンプ用熱媒循環路９ｂによって、低温暖房端末８ｂからの熱媒をバーナ加熱式熱交換器１５、膨張タンク３３、及び、暖房用熱媒循環ポンプ３４をバイパスさせて、低温暖房端末８ｂからの熱媒の全量をそのまま、場合によっては、低温暖房端末８ｂからの熱媒の一部をそのままヒートポンプ加熱式熱交換器１７に直接供給可能とし、そのヒートポンプ用熱媒循環路９ｂにヒートポンプ用熱媒循環ポンプ７６が設けられている。なお、低温暖房端末８ｂからの熱媒の一部がヒートポンプ加熱式熱交換器１７に直接供給される場合、熱媒の残りは、熱媒戻り路３１を通流して膨張タンク３３及び熱媒循環ポンプ３４に供給される。
【００２４】
それに対し、高温熱媒戻り路３１ａ、低温熱媒戻り路３１ｂ、熱媒戻り路３１、第１熱媒路３２、第２熱媒路３５、循環用バイパス路７０、低温往き路３６、及び、高温往き路３８等によりバーナ用熱媒循環路９ａが形成されて、暖房端末８からの熱媒をバーナ加熱式熱交換器１５に供給して暖房端末８へ循環可能とし、そのバーナ用熱媒循環路９ａが、膨張タンク３３及び暖房用熱媒循環ポンプ３４を備えている。
そして、ヒートポンプ加熱式熱交換器１７からの熱媒をバーナ用熱媒循環路９ａに供給するか又はヒートポンプ用熱媒循環路９ｂに供給するかを切り換える切換弁として熱媒切換弁７５及び後述する蓄熱用熱媒切換弁８０が設けられている。
【００２５】
ヒートポンプ装置１６は、圧縮機２１、凝縮器としてのヒートポンプ加熱式熱交換器１７、膨張弁２２、蒸発器２３の順に媒体を循環させる媒体回路Ｒを備えた圧縮式ヒートポンプ装置にて構成され、圧縮機２１を作動させることで、ヒートポンプ加熱式熱交換器１７に圧縮機２１からの高温高圧の媒体が供給され、その媒体にてヒートポンプ用熱媒路６１を通流する熱媒を加熱するように構成されている。
そして、ヒートポンプ用熱媒路６１におけるヒートポンプ用熱媒循環ポンプ７６の下流側と熱媒戻り路３１とが、蓄熱用戻り路７８により接続され、低温往き路３６におけるヒートポンプ用熱媒切換弁７５の上流側とヒートポンプ用熱媒路６１におけるヒートポンプ加熱式熱交換器１７の上流側とが、蓄熱用往き路７９により接続されて、その蓄熱用往き路７９と低温往き路３６との接続箇所に蓄熱用熱媒切換弁８０が設けられ、ヒートポンプ加熱式熱交換器１７により加熱された熱媒をバーナ用熱媒循環路９ａの一部を介して膨張タンク３３及び暖房用熱媒循環ポンプ３４に供給する蓄熱運転が可能なように構成されている。
【００２６】
給湯装置１とヒートポンプ装置１６を有する熱媒供給装置は、その全ての運転がコンピュータを備えた運転制御手段５６により制御されるように構成され、その運転制御手段５６は、熱媒供給装置の運転を指令する人為操作式の熱媒供給装置用リモコン（図示は省略する）との間で各種の情報を通信可能に構成されている。
熱媒供給装置用リモコンは、例えば、台所や浴室等の夫々に設けられており、給湯設定温度や湯張り設定温度等を設定可能であるとともに、各種スイッチのＯＮ操作により各種の運転を要求指令できるように構成されている。
また、運転制御手段５６は、暖房端末８の運転を指令する人為操作式の高温暖房端末用リモコン及び低温暖房端末用リモコン（図示は省略する）との間で各種の情報を通信可能に構成され、高温暖房端末用リモコンは、高温暖房端末８ａに対して設けられ、低温暖房端末用リモコンは、低温暖房端末８ｂに対して設けられている。
【００２７】
つぎに、運転制御手段５６による熱媒供給装置の制御運転について説明する。
運転制御手段５６は、熱媒供給装置用リモコンの運転スイッチがＯＮ操作されると制御可能な状態となり、給湯栓４が開操作されると給湯栓４から湯水を給湯する給湯運転を実行する。そして、熱媒供給装置用リモコンの湯張りスイッチがＯＮ操作されてふろ湯張りが要求されると湯張り運転を実行し、追焚スイッチがＯＮ操作されてふろ追焚が要求されると追焚運転を実行する。
また、運転制御手段５６は、高温暖房端末用リモコンの暖房運転スイッチがＯＮ操作されて高温暖房端末８ａから運転が要求されると高温暖房運転を実行し、低温暖房端末用リモコンの暖房運転スイッチがＯＮ操作されて低温暖房端末８ｂから運転が要求されると低温暖房運転を実行し、更に、別途蓄熱運転も実行する。
【００２８】
〔給湯運転〕
運転制御手段５６は、給湯栓４を開いて水量センサ２４による検出水量が所定量以上になり給湯が要求されていると判別すると、バーナ１３を燃焼させて給湯用バーナ潜熱加熱式熱交換器３にて水を加熱させ、更に、給湯用バーナ潜熱加熱式熱交換器３にて加熱された湯水を給湯用熱交換器７１にて加熱させる給湯加熱作動を行う。つまり、暖房用熱媒循環ポンプ３４を作動させるとともに、熱媒分配弁７２等を切り換えることでバーナ加熱状態に切り換えて、燃焼用ファンＦの駆動を開始させた後、断続弁１９を開弁し、ガス比例弁２０の開度を調整してイグナイタによりバーナ１３に点火する。そして、熱媒供給装置用リモコンでの給湯設定温度、給水サーミスタ２５による検出水温、水量センサ２４による検出水量等に基づいて、給湯温度を給湯設定温度とするためのバーナ１３の目標燃焼量を求め、その求めた目標燃焼量となるようにガス比例弁２０の開度及び燃焼用ファンＦの回転速度を制御する。
そして、水量センサ２４にて通水が検出されなくなると、ガス比例弁２０及び断続弁１９を閉弁させて燃料供給を停止してバーナ１３の燃焼を停止し、燃焼用ファンＦと暖房用熱媒循環ポンプ３４も停止させて給湯運転を終了する。
【００２９】
〔湯張り運転〕
運転制御手段５６は、湯張りスイッチがＯＮ操作されてふろ湯張りが要求されると、湯張り弁５３を開弁して通水を開始させ、出湯サーミスタ３０の検出温度が湯張り用の目標温度になるように、バーナ１３を燃焼させて給湯用バーナ潜熱加熱式熱交換器３と給湯用熱交換器７１にて湯水を加熱させる給湯加熱作動を行う。
そして、水位センサ４８にて検出される浴槽１０の水位が設定水位に達すると、湯張り弁５３を閉じて、バーナ１３の燃焼を停止し、燃焼用ファンＦ等も停止させて給湯加熱作動を停止して湯張り運転を終了する。
【００３０】
以下、追焚運転、高温暖房運転、及び、低温暖房運転について説明するが、本発明に係る熱媒供給装置では、暖房回路９において、バーナ１３の燃焼により熱媒を加熱するバーナ加熱式熱交換器１５と、ヒートポンプ装置１６の媒体により熱媒を加熱するヒートポンプ加熱式熱交換器１７とが設けられている。
そして、熱媒分配弁７２やヒートポンプ用熱媒切換弁７５等を切り換えることで、バーナ加熱式熱交換器１５にて熱媒を加熱するバーナ加熱状態（図１中太線参照）とヒートポンプ加熱式熱交換器１７にて熱媒を加熱するヒートポンプ加熱状態（図２中太線参照）とに切換自在に構成され、追焚運転と高温暖房運転では、バーナ加熱状態で運転し、低温暖房運転では、バーナ加熱状態及びヒートポンプ加熱状態の何れかに切り換えて運転を行うように構成され、更に、蓄熱運転（図３中太線参照）も可能に構成されている。
【００３１】
〔追焚運転〕
この追焚運転では、運転制御手段５６が、熱媒分配弁７２等を切り換えることでバーナ加熱状態に切り換える。
運転制御手段５６は、追焚スイッチがＯＮ操作されてふろ追焚が要求されると、ふろ循環ポンプ４９を作動させて、浴槽１０内の湯水をふろ戻り路４７及びふろ往き路４６を通して循環させる。そのときに水流スイッチ５０によりそのことが検出されると、暖房用熱媒循環ポンプ３４を作動させるとともに、熱媒分配弁７２等を切り換えることでバーナ加熱状態に切り換えて、バーナ１３を燃焼させてバーナ加熱式熱交換器１５にて熱媒を加熱させる暖房バーナ加熱作動を行う。
その暖房バーナ加熱作動として、燃焼用ファンＦの駆動を開始させた後、断続弁１９を開弁し、ガス比例弁２０の開度を調整してイグナイタによりバーナ１３に点火し、熱媒サーミスタ３７の検出温度と目標温度（例えば８０℃）との偏差等に基づいて、熱媒サーミスタ３７の検出温度を目標温度とするためのバーナ１３の目標燃焼量を求め、求めた目標燃焼量となるようにガス比例弁２０の開度及び燃焼用ファンＦの回転速度を制御する。
【００３２】
運転制御手段５６が、熱媒分配弁７２を熱媒バイパス路４３側へ切り換えることで、バーナ顕熱加熱式熱交換器１５ｂにて加熱された熱媒を熱媒バイパス路４３を通してふろ熱交換器１１に供給している。ふろ熱交換器１１を通過した熱媒は、熱媒戻り路３１を通して膨張タンク３３、暖房用熱媒循環ポンプ３４を通過したのち、バーナ潜熱加熱式熱交換器１５ａに供給されて加熱される。バーナ潜熱加熱式熱交換器１５ａにて加熱された熱媒は、第１熱媒路３２を通してバーナ顕熱加熱式熱交換器１５ｂに供給されて加熱される。
このようにして、バーナ加熱式熱交換器１５にて熱媒を加熱しながら、その加熱された熱媒をふろ熱交換器１１に循環供給している。一方、ふろ循環ポンプ４９の作動によりふろ循環路４５を通してふろ熱交換器１１に浴槽１０の湯水が供給され、ふろ熱交換器１１において熱媒により浴槽１０の湯水を加熱し、ふろ往き路４６にて浴槽１０に供給し、バーナ加熱式熱交換器１５にて加熱された熱媒により浴槽１０の湯水を加熱して追焚を行っている。そして、ふろサーミスタ５１の検出温度が追焚設定温度に達すると、ふろ循環ポンプ４９及び暖房用熱媒循環ポンプ３４を停止させるとともに、バーナ１３の燃焼を停止し、燃焼用ファンＦも停止させて暖房バーナ加熱作動を停止して、追焚運転を終了する。
【００３３】
〔高温暖房運転〕
この高温暖房運転でも、運転制御手段５６が、熱媒分配弁７２等を切り換えることでバーナ加熱状態に切り換える。
運転制御手段５６は、高温暖房端末８ａから運転が要求されると、暖房用熱媒循環ポンプ３４を作動させるとともに、上述の追焚運転と同様に、熱媒分配弁７２等を切り換えることでバーナ加熱状態に切り換えて、バーナ１３を燃焼させてバーナ加熱式熱交換器１５にて熱媒を加熱させる暖房バーナ加熱作動を行う。ここで、熱媒サーミスタ３７の検出温度と目標温度（例えば８０℃）との偏差等に基づいて、熱媒サーミスタ３７の検出温度を目標温度とするためのバーナ１３の目標燃焼量を求め、その求めた目標燃焼量となるようにガス比例弁２０の開度及び燃焼用ファンＦの回転速度を制御する。
【００３４】
そして、高温往き路３８に備えられた熱媒断続弁（図示省略）を開弁させ、熱媒分配弁７２等がバーナ加熱状態に切り換えられているので、高温暖房端末８ａからの熱媒は、高温熱媒戻り路３１ａと熱媒戻り路３１を通して膨張タンク３３、暖房用熱媒循環ポンプ３４を通過したのち、バーナ潜熱加熱式熱交換器１５ａに供給されて加熱される。バーナ潜熱加熱式熱交換器１５ａにて加熱された熱媒は、第１熱媒路３２を通してバーナ顕熱加熱式熱交換器１５ｂに供給されて加熱され、加熱後の熱媒の一部が、第２熱媒路３５及び高温往き路３８を通して高温暖房端末８ａに供給され、熱媒の残りが、循環用バイパス路７０及び給湯用熱交換器７１を通して膨張タンク３３に供給される。つまり、高温暖房端末８ａからの熱媒は、バーナ用熱媒循環路９ａを通して、バーナ加熱式熱交換器１５により加熱され、その後、高温暖房端末８ａに供給される。
そして、高温暖房端末８ａからの運転要求が終了すると、暖房用熱媒循環ポンプ３４を停止させるとともに、バーナ１３の燃焼を停止し、燃焼用ファンＦも停止させて暖房バーナ加熱作動を停止して、高温暖房運転を終了する。
【００３５】
〔低温暖房運転〕
この低温暖房運転では、図１及び図２に示すように、運転制御手段５６が、状況に応じて、バーナ加熱状態とヒートポンプ加熱状態とのうちの何れかに切り換える。すなわち、低温暖房端末８ｂにて要求される温度に応じて複数の運転モードが実行可能に構成され、どの運転モードを実行するかは、運転制御手段５６が低温暖房端末８ｂにて要求されている熱媒の温度等に応じて選択するように構成されている。
その複数の運転モードとして、例えば、図４に示すように、低温暖房端末８ｂに供給する熱媒の温度をホットダッシュ用設定温度（例えば７５℃）とするホットダッシュ運転モード、低温暖房端末８ｂに供給する熱媒の温度を高温用設定温度（例えば６０℃）とする高温運転モード、及び、低温暖房端末８ｂに供給する熱媒の温度を低温用設定温度（例えば４０℃）とする低温運転モードを実行するように構成されている。
【００３６】
そこで、運転制御手段５６は、運転モード毎に、バーナ加熱状態に切り換えた場合の１次エネルギー消費量とヒートポンプ加熱状態に切り換えた場合の１次エネルギー消費量とを求めておき、その求めた１次エネルギー消費量が小さい方を選択して切り換えるように設定されている。
例えば、図４に示すように、低温暖房運転として、ホットダッシュ運転モードをホットダッシュ用設定時間（例えば３０分）行った後、高温運転モードを高温用設定時間（例えば１．５時間）行い、その後、低温運転モードを低温用設定時間（例えば５．０時間）行う場合について、以下、詳細に説明する。
運転モード毎の暖房負荷は、低温暖房端末８ｂに供給する熱媒の温度及び運転時間等から求めることができ、例えば、図５に示すように、ホットダッシュ運転モードでの暖房負荷が２．９ｋＷｈ、高温運転モードでの暖房負荷が３．６ｋＷｈ、低温運転モードでの暖房負荷が６．５ｋＷｈであり、このようにして、運転モード毎の暖房負荷を求めておく。
【００３７】
そして、バーナ加熱状態に切り換えた場合の１次エネルギー消費量については、運転モード毎の暖房負荷（ｋＷｈ）をＣＯＰ（成績係数）にて除算することにより、その暖房負荷を賄うためのガス需要（ｋＷｈ）を求める。ここで、ＣＯＰは、バーナ加熱状態に切り換えてバーナ加熱式熱交換器１５にて熱媒を加熱したときのＣＯＰを用い、その求めたガス需要（ｋＷｈ）に３．６を乗算することにより１次エネルギー消費量（ＭＪ）に換算して、バーナ加熱状態に切り換えた場合に運転モード毎に１次エネルギー消費量（ＭＪ）を求めることができる。
また、ヒートポンプ加熱状態に切り換える場合の１次エネルギー消費量については、運転モード毎の暖房負荷をＣＯＰにて除算することにより、その暖房負荷を賄うための電気需要（ｋＷｈ）を求める。ここで、ＣＯＰは、ヒートポンプ加熱状態に切り換えたヒートポンプ加熱式熱交換器１７にて熱媒を加熱したときのＣＯＰを用い、そして、その求めた電気需要（ｋＷｈ）を０．３６９で除算するとともに、３．６を乗算することにより１次エネルギー消費量（ＭＪ）に換算して、ヒートポンプ加熱状態に切り換えた場合に運転モード毎に１次エネルギー消費量（ＭＪ）を求めることができる。
【００３８】
運転モード毎にバーナ加熱状態に切り換えた場合の１次エネルギー消費量（ＭＪ）とヒートポンプ加熱状態に切り換えた場合の１次エネルギー消費量（ＭＪ）を求めることができるので、運転モード毎に１次エネルギー量が小さい方を選択して設定しておく。
ホットダッシュ運転モード（例えば暖房負荷が２．９ｋＷｈ）では、ヒートポンプ加熱で供給できる温水温度の上限が６０℃であり、７５℃の温水を供給できないので、バーナ加熱状態に切り換えるように設定しておく。
また、高温運転モード（例えば暖房負荷が３．６ｋＷｈ）では、バーナ加熱状態の１次エネルギー消費量（１４．４ＭＪ）がヒートポンプ加熱状態の１次エネルギー消費量（２４．４ＭＪ）よりも小さいので、バーナ加熱状態に切り換えるように設定し、低温運転モード（例えば暖房負荷が６．５ｋＷｈ）では、ヒートポンプ加熱状態の１次エネルギー消費量（１５．６ＭＪ）がバーナ加熱状態の１次エネルギー消費量（２６．３ＭＪ）よりも小さいので、ヒートポンプ加熱状態に切り換えるように設定しておく。
【００３９】
このようにして、運転制御手段５６が、どの運転モードを実行するかによってバーナ加熱状態に切り換えるかヒートポンプ加熱状態に切り換えるかを予め設定しておくことができるので、運転モードを選択するだけで、バーナ加熱状態とヒートポンプ加熱状態との切換を行うことができる。したがって、運転制御手段５６は、低温暖房端末８ｂから運転が要求されると、暖房用熱媒循環ポンプ３４又はヒートポンプ用熱媒循環ポンプ７６を作動させるとともに、運転モードを選択することによりバーナ加熱状態又はヒートポンプ加熱状態に切り換える。
例えば、ホットダッシュ運転モード及び高温運転モードを行うときにはバーナ加熱状態に切り換え、低温運転モードを行うときにはヒートポンプ加熱状態に切り換える。この構成を採用することにより、熱媒を加熱するのに要する１次エネルギー消費量を小さく抑えて熱媒を低温暖房端末８ｂに供給することが可能となり、省エネ性に優れた熱媒供給装置を実現することができる。
【００４０】
バーナ加熱状態の場合には、運転制御手段５６が、熱媒分配弁７２やヒートポンプ用熱媒切換弁７５等をバーナ加熱状態に切り換え、バーナ１３を燃焼させてバーナ加熱式熱交換器１５にて熱媒を加熱させる暖房バーナ加熱作動を行う。
ここで、運転制御手段５６は、バーナ潜熱加熱式熱交換器１５ａの出口側である第１熱媒路３２に設けられた熱媒サーミスタ（図示省略）の検出温度と目標温度（低温暖房端末８ｂにて要求される熱媒の温度に応じて設定される）との偏差等に基づいて、その熱媒サーミスタの検出温度を目標温度とするためのバーナ１３の目標燃焼量を求め、その求めた目標燃焼量となるようにガス比例弁２０の開度及び燃焼用ファンＦの回転速度を制御する。
【００４１】
そして、運転制御手段５６は、低温暖房端末８ｂから運転が要求されると、低温往き路３６に備えられた熱媒断続弁（図示省略）を開弁させ、図１中太線にて示すように、低温暖房端末８ｂからの熱媒は、低温熱媒戻り路３１ｂと熱媒戻り路３１を通して膨張タンク３３、暖房用熱媒循環ポンプ３４を通過したのち、バーナ潜熱加熱式熱交換器１５ａに供給されて加熱される。バーナ潜熱加熱式熱交換器１５ａにて加熱された熱媒は、第１熱媒路３２を通過し、一部が低温往き路３６を通して低温暖房端末８ｂに供給される。つまり、低温暖房端末８ｂからの熱媒は、バーナ用熱媒循環路９ａの一部を通して、バーナ加熱式熱交換器１５のバーナ潜熱加熱式熱交換器１５ａにより加熱され、その後、低温暖房端末８ｂに供給される。
そして、第１熱媒路３２を通過した熱媒のうち、残りの一部がバーナ顕熱加熱式熱交換器１５ｂに供給されて加熱され、バーナ顕熱加熱式熱交換器１５ｂにて加熱された熱媒は、循環用バイパス路７０及び給湯用熱交換器７１を通して膨張タンク３３に供給される。
【００４２】
ヒートポンプ加熱状態の場合には、運転制御手段５６が、ヒートポンプ装置１６を運転させるとともに、ヒートポンプ用熱媒切換弁７５や蓄熱用熱媒切換弁８０等を切り換えることでヒートポンプ加熱状態に切り換える。
ここで、運転制御手段５６は、熱媒サーミスタ６３の検出温度と目標温度（低温暖房端末８ｂにて要求されている熱媒の温度に応じて設定される）との偏差等に基づいて、熱媒サーミスタ６３の検出温度を目標温度とするための圧縮機２１の目標回転速度を求め、その求めた目標回転速度となるように圧縮機２１の回転速度を制御する。
そして、図２中太線にて示すように、低温暖房端末８ｂからの熱媒は、ヒートポンプ用熱媒循環ポンプ７６の作動とヒートポンプ用熱媒切換弁７５の低温暖房端末８ｂ側への開弁により、低温熱媒戻り路３１ｂとヒートポンプ用熱媒路６１を通流してヒートポンプ加熱式熱交換器１７に供給されて加熱される。ヒートポンプ加熱式熱交換器１７で加熱された熱媒は、ヒートポンプ用熱媒循環ポンプ７６を通過し、低温往き路３６を通して低温暖房端末８ｂに供給される。つまり、低温暖房端末８ｂからの熱媒は、ヒートポンプ用熱媒循環路９ｂを通して、ヒートポンプ加熱式熱交換器１７により加熱され、その後、低温暖房端末８ｂに供給される。
【００４３】
〔蓄熱運転〕
この蓄熱運転では、運転制御手段５６が、ヒートポンプ装置１６を運転させるとともに、ヒートポンプ用熱媒切換弁７５や蓄熱用熱媒切換弁８０等を切り換えることでヒートポンプ加熱状態に切り換える。
運転制御手段５６は、例えば、蓄熱スイッチがＯＮ操作されて蓄熱運転が要求されると、暖房用熱媒循環ポンプ３４を作動させる（この暖房用熱媒循環ポンプ３４に加えて、ヒートポンプ用熱媒循環ポンプ７６を作動させることも可能）。
そして、図３中太線にて示すように、ヒートポンプ加熱式熱交換器１７で加熱された熱媒は、ヒートポンプ用熱媒循環ポンプ７６を通過したのち、蓄熱用戻り路７８と熱媒戻り路３１を通して膨張タンク３３及び暖房用熱媒循環ポンプ３４に供給される。その後、第１熱媒路３２、低温往き路３６、蓄熱用往き路７９、及び、ヒートポンプ用熱媒路６１を通してヒートポンプ加熱式熱交換器１７に供給される。つまり、ヒートポンプ加熱式熱交換器１７で加熱された熱媒は、バーナ用熱媒循環路９ａの一部を介して膨張タンク３３及び暖房用熱媒循環ポンプ３４に供給されて、ヒートポンプ加熱式熱交換器１７による熱媒への蓄熱運転が実行され、例えば、バーナ潜熱加熱式熱交換器１５ａの出口側である第１熱媒路３２に設けられた熱媒サーミスタ（図示省略）による検出温度が設定温度に達した時点で蓄熱運転を終了する。
【００４４】
〔別実施形態〕
（１）先の実施形態では、ヒートポンプ用熱媒路６１と熱媒戻り路３１を蓄熱用戻り路７８により接続し、低温往き路３６とヒートポンプ用熱媒路６１を蓄熱用往き路７９により接続して、蓄熱用往き路７９と低温往き路３６との接続箇所に蓄熱用熱媒切換弁８０を設けた構成を示したが、図６に示すように、ヒートポンプ用熱媒路６１に４方切換弁８１を設け、その４方切換弁８１に対して、熱媒戻り路３１に接続の蓄熱用戻り路７８とヒートポンプ用熱媒路６１に接続の蓄熱用往き路７９を接続可能にして実施することもできる。
この図６に示す別実施形態においては、４方切換弁８１を図６の（ａ）に示すように切り換えることで、図中太線にて示すように、低温暖房端末８ｂからの熱媒は、ヒートポンプ用熱媒循環ポンプ７６の作動とヒートポンプ用熱媒切換弁７５の低温暖房端末８ｂ側への開弁により、低温熱媒戻り路３１ｂとヒートポンプ用熱媒路６１を通流してヒートポンプ加熱式熱交換器１７に供給されて加熱され、その後、ヒートポンプ用熱媒循環ポンプ７６と４方切換弁８１を通過し、低温往き路３６を通して低温暖房端末８ｂに供給される。つまり、低温暖房端末８ｂからの熱媒は、ヒートポンプ用熱媒循環路９ｂを通して、ヒートポンプ加熱式熱交換器１７により加熱され、その後、低温暖房端末８ｂに供給される。
また、４方切換弁８１を図６の（ｂ）に示すように切り換えることで、図中太線にて示すように、ヒートポンプ加熱式熱交換器１７で加熱された熱媒は、ヒートポンプ用熱媒循環ポンプ７６と４方切換弁８１を通過したのち、蓄熱用戻り路７８と熱媒戻り路３１を通して給湯装置１内の膨張タンク３３及び暖房用熱媒循環ポンプ３４に供給され、その後、低温往き路３６から４方切換弁８１を通過し、蓄熱用往き路７９、及び、ヒートポンプ用熱媒路６１を通してヒートポンプ加熱式熱交換器１７に供給される。つまり、ヒートポンプ加熱式熱交換器１７で加熱された熱媒は、バーナ用熱媒循環路９ａの一部を介して膨張タンク３３及び暖房用熱媒循環ポンプ３４に供給されて、ヒートポンプ加熱式熱交換器１７による熱媒への蓄熱運転が実行される。
【００４５】
（２）先の実施形態では、給水路２からの水を給湯用バーナ潜熱加熱式熱交換器３と給湯用熱交換器７１にて加熱する構成を示し、更に、熱媒用のバーナ加熱式熱交換器１５として、バーナ潜熱加熱式熱交換器１５ａとバーナ顕熱加熱式熱交換器１５ｂを備えた構成を示したが、図７に示すように、給湯用バーナ潜熱加熱式熱交換器３をなくして、給水路２からの水を給湯用熱交換器７１のみにて加熱するように構成するとともに、熱媒用のバーナ加熱式熱交換器１５をひとつだけ設けて実施することもできる。
この図７に示す熱媒供給装置では、低温暖房運転のホットダッシュ運転モード及び高温運転モードのバーナ加熱状態において、図７中太線にて示すように、低温暖房端末８ｂからの熱媒は、熱媒戻り路３１の暖房用熱媒循環ポンプ３４を通過したのち、一部が低温往き路３６を通して低温暖房端末８ｂに供給され、残りの一部がバーナ加熱式熱交換器１５に供給されて加熱され、加熱後の熱媒は、循環用バイパス路７０及び給湯用熱交換器７１を通して膨張タンク３３に供給される。
なお、この図７に示す装置において、その他の構成については、図１〜図３に示す装置とほぼ同じなので、同じ符号を付すことにより説明を省略する。
【００４６】
（３）これまでの実施形態では、暖房端末８として高温暖房端末８ａ（例えば浴室乾燥装置）と低温暖房端末８ｂ（例えば床暖房パネル）とを備えた例を示したが、低温暖房端末８ｂのみを備えた熱媒供給装置においても適応可能である。
更に、給湯用熱交換器７１、バーナ加熱式熱交換器１５、膨張タンク３３、及び、暖房用熱媒循環ポンプ３４等を備えた給湯装置１に対して、ヒートポンプ加熱式熱交換器１７及びヒートポンプ用熱媒循環ポンプ７６等を備えたヒートポンプ装置１６を別体に構成して、給湯装置１に外付けした例を示したが、ヒートポンプ装置１６を給湯装置１内に収納する形態で実施することもできる。
【符号の説明】
【００４７】
１        給湯装置
２        給水路
５        給湯路
６        給湯回路
７        暖房加熱部
８        暖房端末
９        暖房回路
９ａ      バーナ用熱媒循環路
９ｂ      ヒートポンプ用熱媒循環路
１３      バーナ
１５      バーナ加熱式熱交換器
１６      ヒートポンプ装置
１７      ヒートポンプ加熱式熱交換器
３１      熱媒戻り路
３３      膨張タンク
３４      暖房用熱媒循環ポンプ
３６      熱媒往き路
７１      給湯用熱交換器
７６      ヒートポンプ用熱媒循環ポンプ
【図１】
0005822671.tif 000002
【図２】
0005822671.tif 000003
【図３】
0005822671.tif 000004
【図４】
0005822671.tif 000005
【図５】
0005822671.tif 000006
【図６】
0005822671.tif 000007
【図７】
0005822671.tif 000008
【図８】
0005822671.tif 000009
【図９】
0005822671.tif 000010